【手続補正書】
【提出日】平成28年11月10日(2016.11.10)
【手続補正１】
【補正対象書類名】特許請求の範囲
【補正対象項目名】全文
【補正方法】変更
【補正の内容】
【特許請求の範囲】
【請求項１】
情報処理装置と、中継サーバ装置と、管理サーバ装置とがネットワークを介して接続されるシステムであって、
前記情報処理装置は、
前記中継サーバ装置に前記管理サーバ装置が管理するファイルの結合要求を送信する送信手段を有し、
前記中継サーバ装置は、
前記情報処理装置から前記結合要求を受信する受信手段と、
前記受信手段により受信された前記結合要求に基づいて作成される結合ファイルが、前記受信手段により前記結合要求が受信される前に、前記中継サーバ装置の記憶部に格納されているか否かを判定する判定手段と、
前記判定手段により格納されていると判定されたことを条件の１つとして、前記記憶部から前記結合ファイルを取得する取得手段と、
を有するシステム。
【請求項２】
前記中継サーバ装置は、
前記判定手段により格納されていないと判定されたことを条件の１つとして、前記結合要求に基づいて前記管理サーバ装置から取得した結合対象のファイルを結合させた結合ファイルを前記記憶部に格納する格納手段を更に有し、
前記取得手段は、前記格納手段により格納された前記結合ファイルを前記記憶部から取得する請求項１に記載のシステム。
【請求項３】
前記中継サーバ装置は、
前記受信手段により受信された前記結合要求における結合対象のファイルに、更新される可能性がある更新ファイルが含まれることを条件の１つとして、前記結合要求に基づいて前記結合対象のファイルを前記管理サーバ装置から新たに取得し、結合ファイルを作成して前記記憶部に格納する作成手段を更に有する請求項１又は２に記載のシステム。
【請求項４】
前記中継サーバ装置は、
前記更新ファイルが格納されている前記管理サーバ装置の更新フォルダ情報を保持しており、前記更新フォルダ情報に基づいて前記結合対象のファイルに前記更新ファイルが含まれているか否かを判定する更新ファイル判定手段を更に有し、
前記作成手段は、前記更新ファイル判定手段により前記更新ファイルが含まれていると判定されたことを条件の１つとして、前記結合要求に基づいて前記結合対象のファイルを前記管理サーバ装置から新たに取得し、結合ファイルを作成して前記記憶部に格納する請求項３に記載のシステム。
【請求項５】
前記作成手段は、前記結合対象のファイルから前記更新ファイルを除いたファイルを結合させた非更新結合ファイルを作成して前記記憶部に格納しており、前記非更新結合ファイルと、前記管理サーバ装置から新たに取得した前記更新ファイルとを結合させた結合ファイルを作成して前記記憶部に格納する請求項３又は４に記載のシステム。
【請求項６】
前記中継サーバ装置は、
前記作成手段により作成されて前記記憶部に格納された結合ファイルを、前記記憶部から削除する削除手段を更に有する請求項３乃至５何れか１項に記載のシステム。
【請求項７】
前記中継サーバ装置は、
前記受信手段により前記記憶部に格納されている結合ファイルと、前記管理サーバ装置から新たに取得した追加ファイルとの結合要求が受信されたことを条件の１つとして、前記結合ファイルと、前記追加ファイルとを同一のファイル形式で結合させて前記記憶部に格納する結合手段を更に有する請求項１乃至６何れか１項に記載のシステム。
【請求項８】
前記中継サーバ装置は、
前記記憶部に格納されている前記結合ファイルが予め定められた時間以上使用されていないことを条件の１つとして、前記記憶部から前記結合ファイルを削除する時間管理削除手段を更に有する請求項１乃至７何れか１項に記載のシステム。
【請求項９】
前記中継サーバ装置は、
前記判定手段により格納されていないと判定された場合であっても、前記結合要求に係る結合対象のファイルを含む結合ファイルが前記記憶部に格納されていることを条件の１つとして、前記結合ファイルの構成に係るページのうち、前記結合対象のファイルに対応するページを特定する特定手段を更に有する請求項１乃至８何れか１項に記載のシステム。
【請求項１０】
前記中継サーバ装置は、
前記特定手段により特定されたページに基づいて前記結合対象のファイルに係る処理を実行するよう指示する指示手段を更に有する請求項９に記載のシステム。
【請求項１１】
情報処理装置から管理サーバ装置が管理するファイルの結合要求を受信する受信手段と、
前記受信手段により受信された前記結合要求に基づいて作成される結合ファイルが、前記受信手段により前記結合要求が受信される前に、自装置の記憶部に格納されているか否かを判定する判定手段と、
前記判定手段により格納されていると判定されたことを条件の１つとして、前記記憶部から前記結合ファイルを取得する取得手段と、
を有する中継サーバ装置。
【請求項１２】
情報処理装置と、中継サーバ装置と、管理サーバ装置とがネットワークを介して接続されるシステムにおける情報処理方法であって、
前記情報処理装置が、前記中継サーバ装置に前記管理サーバ装置が管理するファイルの結合要求を送信する送信ステップと、
前記中継サーバ装置が、前記情報処理装置から前記結合要求を受信する受信ステップと、
前記中継サーバ装置が、前記受信ステップにより受信された前記結合要求に基づいて作成される結合ファイルが、前記受信ステップにより前記結合要求が受信される前に、前記中継サーバ装置の記憶部に格納されているか否かを判定する判定ステップと、
前記中継サーバ装置が、前記判定ステップにより格納されていると判定されたことを条件の１つとして、前記記憶部から前記結合ファイルを取得する取得ステップと、
を含む情報処理方法。
【請求項１３】
中継サーバ装置が実行する情報処理方法であって、
情報処理装置から管理サーバ装置が管理するファイルの結合要求を受信する受信ステップと、
前記受信ステップにより受信された前記結合要求に基づいて作成される結合ファイルが、前記受信ステップにより前記結合要求が受信される前に、前記中継サーバ装置の記憶部に格納されているか否かを判定する判定ステップと、
前記判定ステップにより格納されていると判定されたことを条件の１つとして、前記記憶部から前記結合ファイルを取得する取得ステップと、
を含む情報処理方法。
【請求項１４】
コンピュータに、
情報処理装置から管理サーバ装置が管理するファイルの結合要求を受信する受信ステップと、
前記受信ステップにより受信された前記結合要求に基づいて作成される結合ファイルが、前記受信ステップにより前記結合要求が受信される前に、前記コンピュータの記憶部に格納されているか否かを判定する判定ステップと、
前記判定ステップにより格納されていると判定されたことを条件の１つとして、前記記憶部から前記結合ファイルを取得する取得ステップと、
を実行させるためのプログラム。
【手続補正２】
【補正対象書類名】明細書
【補正対象項目名】０００５
【補正方法】変更
【補正の内容】
【０００５】
そこで、本発明のシステムは、情報処理装置と、中継サーバ装置と、管理サーバ装置とがネットワークを介して接続されるシステムであって、前記情報処理装置は、前記中継サーバ装置に前記管理サーバ装置が管理するファイルの結合要求を送信する送信手段を有し、前記中継サーバ装置は、前記情報処理装置から前記結合要求を受信する受信手段と、前記受信手段により受信された前記結合要求に基づいて作成される結合ファイルが、前記受信手段により前記結合要求が受信される前に、前記中継サーバ装置の記憶部に格納されているか否かを判定する判定手段と、前記判定手段により格納されていると判定されたことを条件の１つとして、前記記憶部から前記結合ファイルを取得する取得手段と、を有する。